(57)【特許請求の範囲】
【請求項１】
ディスクが挿入されるスロットと、
モータで駆動され、前記スロットを通して前記ディスクを本体ケース内に搬入し又は前記本体ケース外へ搬出するディスク搬送手段と、
前記スロットの少なくとも一部を閉鎖して前記ディスクの挿入を阻止する閉じ位置と、前記スロットを開いて前記ディスクの挿入を許容する開き位置とに変位可能なシャッタと、
一端が前記ディスク搬送手段に連結され、他端が前記シャッタに連結され、前記ディスク搬送手段に連動して、前記ディスクの搬入時には前記ディスクが前記スロットを通過した後に前記シャッタを前記スロットに沿った第１方向にスライドさせ、前記ディスクの搬出時には前記ディスクが前記スロットを通過する前に前記シャッタを前記第１方向とは逆向きの第２方向にスライドさせる連動レバーと、
前記シャッタが前記第１方向にスライドするときに前記シャッタを前記閉じ位置まで回転させ、前記シャッタが前記第２方向にスライドするときに前記シャッタを前記開き位置まで回転させるように、前記シャッタと前記本体ケース内の固定部材との一方に設けられたカムと、他方に設けられ前記カムにガイドされる従動突起と、
を備え、
前記シャッタは、一端には前記連動レバーの先端部が挿入される連結孔が設けられ、他端には前記閉じ位置に位置するときに前記スロットを閉鎖する閉鎖部が設けられ、
前記カムは、前記連結孔を中心に前記シャッタを回転させることを特徴とするディスク装置。
【請求項２】
前記ディスク搬送手段は、前記モータによってスライドするローディングスライダと、前記ローディングスライダによって作動され、前記ディスクを保持して揺動する複数のアームとを備え、
前記連動レバーの一端にはカムピンが設けられ、このカムピンが前記ローディングスライダに形成されたカム溝に嵌合していることを特徴とする請求項１記載のディスク装置。
【請求項３】
前記固定部材は、前記本体ケース内に固定され、前記ディスク搬送手段が取り付けられたベースパネルであることを特徴とする請求項１または２記載のディスク装置。
【発明の詳細な説明】
【技術分野】
【０００１】
本発明は、ディスクの二重装填を防止するシャッタを備えたディスク装置に関するものである。
【０００２】
コンピュータやカーナビ装置などの各種の情報機器には、多量の情報をストアすることができるディスク（例えば、ＣＤ、ＤＶＤ、ブルーレイディスクなど）が、記録媒体として用いられる。このディスクは、ディスク装置に装填され、情報の記録と再生とが行われる。一般に、情報機器に内蔵されているディスク装置には、ディスクを収納したトレイを出し入れするトレイタイプと、スロットを通してディスクを出し入れするスロットインタイプとがある。このスロットインタイプのディスク装置では、ディスクをフロントベゼルのスロットに差し込むと、ディスク搬送機構（ディスクローディング機構）が自動的に作動してディスクの搬入（ローディング）が行われる。
【０００３】
スロットインタイプのディスク装置は、トレイが不要であるから、小型かつ軽量であって、ノートパソコン等に広く用いられている。このディスク装置は、ディスクを高速回転させることで情報の記録／再生を行うものであるから、記録／再生中に別のディスクが差し込まれると、ディスクが破損したり、ディスク装置の内部機構が損傷を受けたりすることがある。
【０００４】
ディスクの二重装填を防止するために、スロットを開閉するシャッタを設けたディスク装置が知られている（特許文献１参照）。この特許文献１のディスク装置は、シャッタをカム板に回転自在に取り付け、ディスクがローディングされていないときには、シャッタを開き位置に位置させ、スロットに挿入したディスクが、ローディング機構により記録／再生位置までローディングされると、シャッタを閉じ位置に回転させる。このディスク装置には、ローディング機構に連動して作動する連動レバーと、この連動レバーに連動してスライドするスライド部材が設けられている。このスライド部材の長孔には、シャッタのピンが挿入されている。記録／再生位置でディスクのチャッキング動作が開始されると、ローディング機構、連動レバーを介してスライド部材が移動する。そして、スライド部材が移動すると、シャッタは、ベースパネルのカム溝にガイドされ、ピンを中心に閉じ位置まで回転する。
【特許文献１】特開２００７−２９３９８１号公報
【発明の開示】
【発明が解決しようとする課題】
【０００５】
しかしながら、特許文献１では、シャッタ及び連動レバーの他にスライド部材を設けることが必要であるため、シャッタ構造が複雑になるとともに部品点数が多くなり、コストが高くなるという問題があった。
【０００６】
本発明は、シャッタ構造を簡単にして部品点数を減らすことができるディスク装置を提供することを目的とする。
【課題を解決するための手段】
【０００７】
上記目的を達成するために、本発明のディスク装置は、ディスクが挿入されるスロットと、モータで駆動され、前記スロットを通して前記ディスクを本体ケース内に搬入し又は前記本体ケース外へ搬出するディスク搬送手段と、前記スロットの少なくとも一部を閉鎖して前記ディスクの挿入を阻止する閉じ位置と、前記スロットを開いて前記ディスクの挿入を許容する開き位置とに変位可能なシャッタと、一端が前記ディスク搬送手段に連結され、他端が前記シャッタに連結され、前記ディスク搬送手段に連動して、前記ディスクの搬入時には前記ディスクが前記スロットを通過した後に前記シャッタを前記スロットに沿った第１方向にスライドさせ、前記ディスクの搬出時には前記ディスクが前記スロットを通過する前に前記シャッタを前記第１方向とは逆向きの第２方向にスライドさせる連動レバーと、前記シャッタが前記第１方向にスライドするときに前記シャッタを前記閉じ位置まで回転させ、前記シャッタが前記第２方向にスライドするときに前記シャッタを前記開き位置まで回転させるように、前記シャッタと前記本体ケース内の固定部材との一方に設けられたカムと、他方に設けられ前記カムにガイドされる従動突起と、を備え、前記シャッタは、一端には前記連動レバーの先端部が挿入される連結孔が設けられ、他端には前記閉じ位置に位置するときに前記スロットを閉鎖する閉鎖部が設けられ、前記カムは、前記連結孔を中心に前記シャッタを回転させることを特徴とする。
【０００９】
さらに、前記ディスク搬送手段は、前記モータによってスライドするローディングスライダと、前記ローディングスライダによって作動され、前記ディスクを保持して揺動する複数のアームとを備え、前記連動レバーの一端にはカムピンが設けられ、このカムピンが前記ローディングスライダに形成されたカム溝に嵌合していることが好ましい。
【００１０】
また、前記固定部材は、前記本体ケース内に固定され、前記ディスク搬送手段が取り付けられたベースパネルであることが好ましい。
【発明の効果】
【００１１】
本発明によれば、ディスク搬送手段に連動して、連動レバーがシャッタを第１方向または第２方向にスライドすると、カムと従動突起との組み合わせにより、シャッタを閉じ位置または開き位置に回転させるから、簡単な構成でディスク搬送手段に連動してスロットを開閉することができる。
【発明を実施するための最良の形態】
【００１２】
図１において、ディスク装置１は、本体ケース２を備え、その前面にベゼル３が取り付けられている。このベゼル３には、直径１２ｃｍのディスクＤ１を挿入するスロット３ａと、ディスクＤ１のイジェクトを指示するための押し釦４と、ディスク装置１の動作状態を表示するためのインジケータ５とが設けられている。ディスクＤ１は、チャッキングのための中心孔Ｄ１ａが形成されている。
【００１３】
本体ケース２には、天板９が取り付けられている。この天板９のほぼ中央には、ディスクＤ１のチャッキング時にチャッキングヘッド１３（図２参照）が僅か入り込むための開口９ａが形成されている。また、開口９ａの周囲には、本体ケース２の内壁に突出部を形成するための凹部９ｂが設けられている。この本体ケース２の突出部は、チャッキングヘッド１３がディスクＤ１の中心孔Ｄ１ａに挿入するときに、ディスクＤ１を受け止める。
【００１４】
図２及び図３において、本体ケース２を上下に仕切るように、ベースパネル６が固定されている。このベースパネル６には、中央から斜め方向に延びた開口６ａが形成されている。この開口６ａ内には、昇降フレーム７が配置され、既知の緩衝支持構造８により複数箇所でベースパネル６に取り付けられている。ディスクＤ１を本体ケース２へ搬入または搬出するときに、昇降フレーム７は、フロントベゼル３側を支軸とし、装置中央に位置する先端部が上下方向に揺動する。また、昇降フレーム７には、中央から斜め方向に延びた開口７ａが形成されている。
【００１５】
昇降フレーム７の先端には、ドライブユニット１０が取り付けられている。このドライブユニット１０は、スピンドルモータ１１、ターンテーブル１２、チャッキングヘッド１３を備えている。スピンドルモータ１１は、昇降フレーム７の背面に固定され、その駆動軸にターンテーブル１２が固定されている。チャッキングヘッド１３は、ターンテーブル１２と一体に形成されており、昇降フレーム７が上昇したときに、チャッキング位置にあるディスクＤ１の中心孔Ｄ１ａ（図１参照）に入り込む。チャッキングヘッド１３には、バネで付勢された複数のチャッキング爪１３ａが設けられており、ディスクＤ１を着脱可能に係止する。チャッキング解除ピン１４は、昇降フレーム７が下降するときに、ディスクＤ１を受け止めてチャッキングヘッド１３から外す。
【００１６】
また、昇降フレーム７にはヘッドユニット１７が取り付けられている。このヘッドユニット１７は、昇降フレーム７の開口７ａから露出したキャリッジ１８と、これに保持されたピックアップヘッド１９とから構成されている。情報の記録／再生時には、キャリッジ１８が開口７ａに沿って移動する。
【００１７】
ベースパネル６上には、ディスクＤ１の搬入及び搬出を行うためのディスク支持アーム２０と、スロット３ａから挿入されたディスクＤ１を本体ケース２内へ搬入するための誘引アーム２１とが配置されている。このディスク支持アーム２０は、ホルダ２０ａでディスクＤ１の前端部を保持し、軸２２を中心にして揺動する。誘引アーム２１は、フランジ付ローラ２１ａでディスクＤ１の後端部を保持し、軸２３を中心にして揺動する。この誘引アーム２１を揺動させるために、リンクレバー２４が連結されている。このリンクレバー２４は、ピン２４ａがカム溝２５に沿って移動する。
【００１８】
なお、図３には、ディスクＤ１がイジェクト位置にある場合、ディスクＤ１が自動搬入の開始位置にある場合、ディスクＤ１がチャッキング完了後の記録／再生位置にある場合がそれぞれ示されている。
【００１９】
図４において、ピックアップヘッド１９を保持したキャリッジ１８は、ガイドシャフト２７，２８に支持されている。これらのガイドシャフト２７，２８は、その両端が昇降フレーム７の背面に固定されている。スレッドモータ２９の回転は、ギアトレイン３０を介して、スクリュシャフト３１に伝達される。このスクリュシャフト３１の回転により、キャリッジ１８が前進／後退する。
【００２０】
ベースパネル６の背面には、ローディングモータ３４が配置され、このローディングモータ３４の回転が、ギアトレイン３５を介してディスク搬送機構３６に伝達され、ディスクＤ１の搬入又は搬出が行われる。ディスク搬送機構３６の主要部は、ローディングスライダ３７、ディスク支持アーム２０、誘引アーム２１である。
【００２１】
前記ローディングスライダ３７は、端部に形成したラックギア３７ａがギアトレイン３５の最終段のギアに噛合しており、ローディングモータ３４の回転により、本体ケース２の側壁に沿って前進／後退する。ローディングスライダ３７がベゼル３から離れる方向に移動（後退）するときに、ディスクＤ１が本体ケース２内に搬入され、前進するときに本体ケース２から搬出される。
【００２２】
ローディングスライダ３７は、ラックギア３７ａの横に、シャッタ４５（図５参照）を開閉するためのカム溝３７ｂと、リンクレバー２４のピン２４ａを押すためのカム溝３７ｃと、リンクレバー３８を作動させるためのカム溝３７ｄが形成されている。カム溝３７ｃは横方向に延びており、ピン２４ａをローディングスライダ３７の移動方向に押すことにより、ピン２４ａをカム溝２５に沿って移動させる。
【００２３】
リンクレバー３８は、ピン３８ａがローディングスライダ３７のカム溝３７ｄに嵌合しており、ローディングスライダ３７が移動するときに、軸３９を中心にして回転する。このリンクレバー３８は、リンクアーム４０を介してベース部２０ｂと連結されている。このベース部２０ｂは、ベースパネル６の表面に配置されたディスク支持アーム２０と、軸２２で一体的に連結されている。ベース部２０ｂの周囲に、スイッチ４１が配置されており、ディスクＤ１の押し込みでディスク支持アーム２０が回転されたときにＯＮする。このスイッチ４１からの信号で、制御回路（図示せず）はローディングモータ３４を回転させ、ディスクＤ１の自動搬入を開始する。
【００２４】
前記リンクアーム４０は、第１アーム４０ａと、この第１アーム４０ａに対してスライド可能に連結された第２アーム４０ｂと、これらのアーム４０ａ，４０ｂを最短状態に保つためのバネ４０ｃとから構成されている。このスライド可能なリンクアーム４０により、ディスクＤ１がユーザによって本体ケース２内に押し込まれている間、すなわち自動搬入が開始されるまで、リンクレバー３８を作動させることなく、ディスク支持アーム２０が揺動可能となる。
【００２５】
図５及び図６に示すように、ベースパネル６は、曲げ加工された折り曲げ片６ｂを備える。この折り曲げ片６ｂには、カム孔６ｃ、開口６ｄ，６ｅが形成されている。また、ベースパネル６の上面には、バネ掛け部６ｆが形成されている。本実施形態では、カムとして、カム孔６ｃを用いているが、これはカム溝でもよい。
【００２６】
シャッタ４５は、折り曲げ片６ｂに沿って変位（スライド及び回転）可能に設けられている。このシャッタ４５は、連動部４５ａと、折り曲げ部４５ｂと、閉鎖部４５ｃとを備え、平面から見てクランク状をしている。連動部４５ａの右側端部には、連結孔４５ｄが形成されている。折り曲げ部４５ｂは、開口６ｄに挿入され、連動部４５ａは折り曲げ片６ｂの後側に配され、閉鎖部４５ｃは折り曲げ片６ｂの前側に配される。さらに、連動部４５ａは、本体ケース２の底面から起立したリブ２ａと折り曲げ片６ｂとの間に挟まれ、倒れないようになっている。
【００２７】
閉鎖部４５ｃには、後方に突出するように曲げ加工されたカム片４５ｅが形成されている。このカム片４５ｅは、カム孔６ｃに嵌合され、シャッタ４５が図５において右方向へスライドするときに、シャッタ４５を回転させて、閉鎖部４５ｃを上昇させる。閉鎖部４５ｃの後面には、折り曲げ片６ｂの前面に当接する凸部４５ｆが形成され、閉鎖部４５ｃと折り曲げ片６ｂとの摺動面積を小さくすることで、シャッタ４５の動きを円滑にする（図８参照）。
【００２８】
連動レバー４６は、ローディングスライダ３７の動きをシャッタ４５に伝達し、ディスクＤ１の搬入及び搬出に連動してシャッタ４５を作動させる。この連動レバー４６は、長孔４６ａが固定ピン４７に嵌合している。また、連動レバー４６は、後端部に設けられたカムピン４６ｂがローディングスライダ３７のカム溝３７ｂに嵌合し、そして、先端部４６ｃが連結孔４５ｄに挿入されている。この先端部４６ｃのうち、連結孔４５ｄから突出した部分は、開口６ｅに挿入されている。
【００２９】
連動レバー４６は、その折り曲げ片４６ｄにコイルバネ４８の一端が掛けられ、通常は長孔４６ａの左端が固定ピン４７に当たるように付勢されている。このコイルバネ４８の他端は、バネ掛け部６ｆに掛けられている。なお、図６では、コイルバネ４８の図示を省略している。また、シャッタ４５が故障によりスライド不能な状態の場合に、ディスクＤ１が搬入されることがある。この場合には、ローディングスライダ３７により連動レバー４６が反時計方向に回転しようとするが、コイルバネ４８に抗して長孔４６ａの右端が固定ピン４７に接触する状態に変位する。したがって、無理な力が連動レバー４６に作用することはないので、これを破損したりすることがない。また、ローディングモータ３４が過負荷となり、ローディングモータ３４を焼損するおそれもない。
【００３０】
次に図７及び図８を参照して上記実施形態の作用について説明する。ディスクＤ１の挿入前には、図７（Ａ）に示すように、シャッタ４５は、閉鎖部４５ｃがスロット３ａよりも下方に位置する開き位置にセットされ、ディスクＤ１の挿入を可能にしている。
【００３１】
図３及び図４に示すように、ディスクＤ１がベゼル３のスロット３ａから挿入されると、ディスクＤ１の先端側がディスク支持アーム２０のホルダ２０ａに支持される。このディスクＤ１の押込みに応じて、リンクアーム４０を伸長しながらディスク支持アーム２０がベース部２０ｂとともに、軸２２を中心にして図４において時計方向に回転する。
【００３２】
ディスク支持アーム２０が、更に押し込まれると、ベース部２０ｂがスイッチ４１をＯＮにする。このスイッチ４１の信号に基づいて、ローディングモータ３４が回転を開始する。このローディングモータ３４の回転は、ギアトレイン３５を介してローディングスライダ３７に伝達される。ローディングスライダ３７は、ベゼル３から離れる方向（後退方向）に移動する。
【００３３】
ローディングスライダ３７が後退すると、カム溝３７ｃによってリンクレバー２４のピン２４ａが押されるため、このピン２４ａがカム溝２５に沿って移動する。これにより、リンクレバー２４が移動するため、誘引アーム２１が軸２３を支点にして図３において時計方向に揺動する。この誘引アーム２１は、その先端に取り付けたフランジ付ローラ２１ａがディスクＤ１の後端部を押す。
【００３４】
また、ローディングスライダ３７は、カム溝３７ｄによってリンクレバー３８を図４において時計方向に回転する。このリンクレバー３８の回転は、リンクアーム４０を介してベース部２０ｂに伝達され、ディスク支持アーム２０を図４において時計方向に回転させる。これにより、ディスクＤ１は、ディスク支持アーム２０と誘引アーム２１とで保持されて、本体ケース２内に搬入される。
【００３５】
ディスクＤ１が図３に示す記録／再生位置の直前のチャッキング位置に移動すると、ディスクＤ１の中心孔Ｄ１ａがチャッキングヘッド１３と一致する。次に、ローディングスライダ３７に連動して昇降フレーム７が上昇し、チャッキングヘッド１３がディスクＤ１の中心孔Ｄ１ａに入り込み、チャッキング爪１３ａによってディスクＤ１がチャッキングされる。ディスクＤ１は、チャッキングヘッド１３で押し上げられた際に、天板９の凹部９ｂにより形成された本体ケース２内壁の突出部で受け止められる。チャッキング後に、ディスクＤ１が天板９から離れるように、昇降フレーム７が僅かに下降する。
【００３６】
チャッキング動作中は、ディスク支持アーム２０と誘引アーム２１とが停止しているが、チャッキングが完了すると、ローディングスライダ３７の最後のストロークでディスクＤ１から離れてその保持を解除する。このディスク支持アーム２０と誘引アーム２１とがディスクＤ１の保持を解除するタイミングで、ローディングスライダ３７がスイッチ（図示せず）をＯＮにするから、ローディングモータ３４が停止してディスクＤ１の搬入が終了する。
【００３７】
前記ディスクＤ１の搬入に連動して、シャッタ４５が作動する。すなわち、ディスクＤ１のチャッキングとほぼ同時に、ローディングスライダ３７のカム溝３７ｂによって、カムピン４６ｂが押されるから、連動レバー４６は、固定ピン４７を中心にして、図８（Ａ）に示す位置から、図８（Ｂ）に示す位置へ反時計方向に回転する。この連動レバー４６の回転により、シャッタ４５が右方向にスライドする。
【００３８】
シャッタ４５は、カム片４５ｅがベースパネル６のカム孔６ｃに嵌合されているから、右方向にスライドすると、図７（Ｂ）に示すように、カム孔６ｃに沿ってガイドされ、連結孔４５ｄを中心にして時計方向に回転する。そして、ディスクＤ１のチャッキング完了時に、シャッタ４５は、図７（Ｃ）に示す閉じ位置に回転する。これにより、スロット３ａの一部が閉鎖されるから、ディスクＤ１が本体ケース２内に装填しているときに、別のディスクが誤って装填されるのを防止する。なお、シャッタ４５は、閉じ位置に位置するときに、スロット３ａの左右方向のほぼ中心部を閉鎖する。
【００３９】
シャッタ４５は、連動部４５ａの右側端部に設けた連結孔４５ｄを中心にして開き位置と閉じ位置との間で回転するから、回転中心から閉鎖部４５ｃまでの距離を最大にすることができる。これにより、例えば、連動部４５ａの左右方向の中心部が回転中心となるものに比べて、開き位置から閉じ位置までの回転角度を小さくすることができるから、閉鎖部４５ｃのサイズ（左右方向及び上下方向）を大きくすることができる。また、連動レバー４６で直接シャッタ４５を作動するから、連動レバーとシャッタとの間にスライド部材を設けた従来のディスク装置に比べて、ディスク装置１の前後方向を薄型化することができ、薄型化しながらも、シャッタ４５によりスロット３ａの開閉を確実に行うことができる。
【００４０】
ディスクＤ１のチャッキングと、シャッタ４５によるスロット３ａの閉鎖が行われると、スピンドルモータ１１が回転する。このスピンドルモータ１１が回転すると、ターンテーブル１２とチャッキングヘッド１３とによって、ディスクＤ１が高速回転する。このディスクＤ１の高速回転中に、ピックアップヘッド１９がディスクＤ１の半径方向に移動して、情報の記録又は再生が行われる。
【００４１】
本体ケース２内に装填されたディスクＤ１を搬出する場合は、ベゼル３の押し釦４を操作するか、または情報機器からの指令がディスク装置１に送られる。ディスク装置１の制御回路（図示せず）は、まずスピンドルモータ１１を停止させ、次にローディングモータ３４を逆転させる。このローディングモータ３４の逆転により、ローディングスライダ３７がベゼル３に近づく方向（前進方向）に移動する。このローディングスライダ３７の前進が開始されると、連動レバー４６が時計方向に回転するから、図７（Ｃ）においてシャッタ４５が左方向に移動する。そして、シャッタ４５は、連結孔４５ｄを中心にして反時計方向に回転し、図７（Ｂ）の状態を経由して、図７（Ａ）に示す開き位置に戻る。
【００４２】
また、ローディングスライダ３７の前進が開始されると、ディスク支持アーム２０と誘引アーム２１とが少し揺動して、ディスクＤ１の外周を保持する。次に、昇降フレーム７が下降する。この下降中に、ディスクＤ１がチャッキング解除ピン１４で受け止められるから、ディスクＤ１がチャッキングヘッド１３から抜き出される。昇降フレーム７の下降後に、ディスク支持アーム２０と誘引アーム２１とが再び揺動をし、図４に示すイジェクト位置までディスクＤ１を搬出する。
【００４３】
なお、上記実施形態では、ディスクＤ１のチャッキング完了とほぼ同時にシャッタ４５の閉じ動作が開始されるが、ディスクＤ１の後端部がスロット３ａを通過したときから、ディスクＤ１の搬入が完了するまでの間に、シャッタ４５の閉じ動作を行えばよい。
【００４４】
また、上記実施形態では、直径１２ｃｍのディスクＤ１専用のディスク装置に本発明を実施したが、直径８ｃｍのディスク専用のディスク装置に実施してもよい。
【００４５】
さらに、８ｃｍディスクローディング用の機構を設けて、８ｃｍディスクと１２ｃｍディスクとの兼用にしてもよい。この場合、スロット３ａを閉鎖している状態でのシャッタ４５の左右方向の幅は、１２ｃｍディスク装填時に、８ｃｍディスクを誤って挿入しようとしたときに、スロット３ａの左右方向のどの位置から挿入しようとしても、８ｃｍディスクが１２ｃｍディスクに当たる前に必ずシャッタ４５に当接するような長さに設定される。
【００４６】
また、シャッタ４５にカムを設け、ベースパネル６に従動突起を設けてもよい。さらに、ベゼル３の後面に、シャッタ４５のカム片４５ｅをガイドするカム溝を形成してもよい。
【００４７】
また、連動部４５ａに折り曲げ片を設け、この折り曲げ片を連動レバー４６の先端に設けた連結孔に挿入することにより連結してもよい。
【図面の簡単な説明】
【００４８】
【図１】ディスク装置の外観斜視図である。
【図２】ディスク装置の内部を示す斜視図である。
【図３】ディスク装置の内部を示す上面図である。
【図４】ディスク装置の内部を示す下面図である。
【図５】ベースパネル、シャッタ、連動レバー、ローディングスライダなどの構成を示す分解斜視図である。
【図６】シャッタをベースパネルに組み付けた状態を示す斜視図である。
【図７】シャッタの前面図であり、（Ａ）は開き位置のときを、（Ｂ）は閉じている途中を、（Ｃ）は閉じ位置のときをそれぞれ示す。
【図８】連動レバー及びシャッタの動きを説明する図であり、（Ａ）は動く前を、（Ｂ）は動き後をそれぞれ示す。
【符号の説明】
【００４９】
１  ディスク装置
２  本体ケース
３ａ  スロット
６  ベースパネル
６ｂ  折り曲げ片
６ｃ  カム孔
２０  ディスク支持アーム
２１  誘引アーム
３４  ローディングモータ
３６  ディスク搬送機構
３７  ローディングスライダ
３７ｂ  カム溝
４５  シャッタ
４５ａ  連動部
４５ｂ  折り曲げ部
４５ｃ  閉鎖部
４５ｄ  連結孔
４５ｅ  カム片
４６  連動レバー
４６ｃ  先端部
Ｄ１  ディスク
【図１】
0005051382.tif 000002
【図２】
0005051382.tif 000003
【図３】
0005051382.tif 000004
【図４】
0005051382.tif 000005
【図５】
0005051382.tif 000006
【図６】
0005051382.tif 000007
【図７】
0005051382.tif 000008
【図８】
0005051382.tif 000009